(57)【要約】【課題】任意の材料（試験体）に対して、その表面に固定化された揮発性化合物の種類および量を測定できる気体測定用装置を提供する。【解決手段】放散材１および試験体２を設置するガス拡散容器３と、放散材１の温度を制御する第１温度制御手段４と、試験体２の温度を制御する第２温度制御手段４と、ガス拡散容器３にガス供給するガス供給手段６と、供給ガスを流量制御する流量制御手段７とガス捕集手段８を備える構成とすることにより、ガス拡散容器３内部の雰囲気や温度および供給気体流量などを変化させ、放散材１から放散された揮発性化合物を試験体２の表面へ固定化することができる。【選択図】図１
2011089904.tif 000002
【特許請求の範囲】
【請求項１】
揮発性化合物を放散する放散材と、放散された揮発性化合物と接触可能状態に配置された試験体と、放散材および試験体を配置するガス拡散容器と、放散材温度を制御する第１温度制御手段と、試験体温度を制御する第２温度制御手段と、ガス拡散容器にガス供給するガス供給手段と、供給ガスを流量制御する流量制御手段とガス捕集手段を備えた気体測定用装置。
【請求項２】
ガス拡散容器は、石英ガラスあるいは表面を不活性化処理したガラスあるいは表面を不活性化した金属あるいはフッ素樹脂などの耐熱性の材料で構成される請求項１記載の気体測定用装置。
【請求項３】
放散材は、プラスチックやゴム状物質あるいは液状物質あるいは揮発性化合物を放散する種々の物質である請求項１または２に記載の気体測定用装置。
【請求項４】
試験体は、その表面で、放散材から放散された揮発性化合物を化学的あるいは物理的に固定化可能な金属や金属酸化物のような金属化合物あるいはセラミックなどで構成される請求項１〜３のいずれか１項に記載の気体測定用装置。
【請求項５】
ガス供給手段は、空気のほかに不活性ガスあるいは還元性ガスあるいは酸化性ガスのいずれも供給可能で、かつ含有する不純物成分を除去低減化した清浄ガスを供給する請求項１〜５のいずれか１項に記載の気体測定用装置。
【請求項６】
供給気体を不活性気体から還元性気体に可変可能な請求項５記載の気体測定用装置。
【請求項７】
供給気体を不活性気体から酸化性気体に可変可能な請求項５記載の気体測定用装置。
【請求項８】
不活性気体は、ヘリウム、窒素、アルゴンのいずれか１種である請求項５〜７のいずれか１項に記載の気体測定用装置。
【請求項９】
還元性気体は、水素あるいは一酸化炭素を不活性気体中に所定濃度で混合した気体である請求項５または６に記載の気体測定用装置。
【請求項１０】
酸化性気体は、酸素を不活性気体中に所定濃度で混合した気体である請求項６または８に記載の気体測定用装置。
【請求項１１】
放散材温度は、昇温または降温のいずれにも制御可能な請求項１〜１２のいずれか１項に記載の気体測定用装置。
【請求項１２】
試験体温度は、昇温または降温のいずれにも制御可能な請求項１〜１３のいずれか１項に記載の気体測定用装置。
【請求項１３】
流量制御手段によって供給ガス流量を増減させる請求項１〜１２のいずれか１項に記載の気体測定用装置。
【発明の詳細な説明】
【技術分野】
【０００１】
本発明は家庭用機器などに使用される材料が、その表面等に化学的あるいは物理的に固定化する揮発性化合物量を測定するための気体測定用装置に関するものである。
【背景技術】
【０００２】
従来、この種の揮発性化合物量の測定は、放散材からの揮発性化合物の放散量を求めることを目的としていた。例えば、被測定物となる放散材を一定容積の容器に設定し、所定の温湿度において一定の換気条件の下、気体中の化学物質量を定性定量分析することで行われ、これに必要な気体測定用装置は、温度や不純物濃度などの所定の測定条件を満足するために、測定対象となる物体（被測定物）を設置する容器を備え、また容器内部とその容器を設置する空間の気体浄化や温湿度制御が可能な手段を有している（例えば、非特許文献１参照）。
【０００３】
図２は、非特許文献１に記載された従来の気体測定用装置を示すものである。図２に示すように、所定の内部体積を有する容器１３と、空気供給手段１４と、空気清浄手段１５と、流量制御手段１６、温度制御手段１７、空調手段１８などから構成されている。被測定物からの揮発性化合物の放散量は、温度によって変化するため、測定時の温度は重要な要因であり、可能な限り一定に維持しなければならない。従って、気体測定用装置において温度制御手段は重要な構成要素となっている。
【０００４】
また従来の気体測定用装置によれば、単一材料だけでなく複数の材料や部品から構成される物品からの化学物質量の測定も可能である。
【先行技術文献】
【非特許文献】
【０００５】
【非特許文献１】監修  村上周三、編集委員長  田辺新一、「シックハウス対策に役立つ小型チャンバー法  解説［ＪＩＳ  Ａ  １９０１］」、日本規格協会発行、２００３年４月２１日、Ｐ．３７−５１
【発明の概要】
【発明が解決しようとする課題】
【０００６】
しかしながら、このような気体測定用装置を必要とする分野は多岐にわたり、例えば種々の家庭用機器において、それらを構成する材料や部品等からの揮発性化合物の放散量を求める必要性が高まっている。それらの中には、プラスチック成型品や表面処理を施した材料などがあり、使用条件によって放散物質の量や種類が異なる場合がある。このような材料の放散物質の測定は、上記の従来方法を含めたいくつかの方法で実施可能である。
【０００７】
一方、家庭用機器の使用場面においては、上記揮発性化合物が放散された後、気体中に拡散した同物質が、家庭用機器の構成部品へ再吸着するなどにより、構成部品表面に固定化された時の影響が考慮されなければならない。何故ならば、固定化された揮発性化合物が、構成部品の機能に影響を与える可能性を有するからである。例えば、金属材料は、使用環境によっては腐食等を引起し、その時に機能面での低下にいたる場合があるが、その起因となるのは、表面への反応性物質の吸着等である。
【０００８】
これに対して前記従来の装置構成では、種々の構成部品からの化学物質放散量を測定することは可能であるが、放散後の再吸着等による構成部品への固定化量を求めるには、十分な対応がなされていなかった。
【０００９】
本発明は、前記従来の課題を解決するもので、目的とする材料（試験体）に対して、その表面に固定化された揮発性化合物の種類および量を測定できる気体測定用装置を提供することを目的としている。
【課題を解決するための手段】
【００１０】
前記従来の課題を解決するために、本発明の気体測定用装置は、揮発性化合物を放散する放散材と、放散された揮発性化合物と接触可能状態に配置された試験体と、放散材および試験体を配置するガス拡散容器と、放散材温度を制御する第１温度制御手段と、試験体温度を制御する第２温度制御手段と、ガス拡散容器にガス供給するガス供給手段と、供給ガスを流量制御する流量制御手段とガス捕集手段を備える構成としたものである。
【００１１】
これによって、放散材から放散された揮発性化合物が、吸着等により試験体表面に固定化された化合物の種類やその量を、異なる雰囲気など種々の条件下で求めることができる。
【発明の効果】
【００１２】
本発明の気体測定用装置は、家庭用機器の構成材料あるいはその同等材料を試験体とすることにより、その表面に固定化される揮発性化合物の特定と量的評価が可能となり、家庭用機器への機能影響の抑制や環境保全分野等での有効な技術開発に役立てることができる。
【図面の簡単な説明】
【００１３】
【図１】本発明の実施の形態１における気体測定用装置の模式的構成図
【図２】従来の気体測定用装置の概略構成図
【発明を実施するための形態】
【００１４】
第１の発明は、揮発性化合物を放散する放散材と、放散された揮発性化合物と接触可能状態に配置された試験体と、放散材および試験体を配置するガス拡散容器と、放散材温度を制御する第１温度制御手段と、試験体温度を制御する第２温度制御手段と、ガス拡散容器にガス供給するガス供給手段と、供給ガスを流量制御する流量制御手段とガス捕集手段を備える構成とすることにより、放散材からの放散物質を流通ガスと共に捕集することができると同時に、揮発性化合物が表面に固定化された試験体を得ることができる。
【００１５】
第２の発明は、特に第１の発明の気体測定用装置で、ガス拡散容器を、石英ガラスあるいは表面を不活性化処理したガラスあるいは表面を不活性化した金属あるいはフッ素樹脂などの耐熱性の材料で構成することにより、装置内部への不純物混入を低減できる。
【００１６】
第３の発明は、特に第１または第２の発明の気体測定用装置で、放散材をプラスチックやゴム状物質あるいは液状物質あるいは揮発性化合物を放散する種々の物質とすることにより、揮発性化合物の放散源が明確な状態で試験体への固定化を評価できる。
【００１７】
第４の発明は、特に第１〜第３の発明の気体測定用装置で、試験体を、その表面で、放散材から放散された揮発性化合物を化学的あるいは物理的に固定化可能な金属や金属酸化物のような金属化合物あるいはセラミックなどで構成することにより、試験体表面と揮発性化合物の親和性等を評価できる。
【００１８】
第５の発明は、特に第１〜第４の発明の気体測定用装置で、ガス供給手段を、空気のほかに不活性ガスあるいは還元性ガスあるいは酸化性ガスのいずれも供給可能で、かつ含有する不純物成分を除去低減化した清浄ガスを供給することで、それぞれの雰囲気での試験体への揮発性化合物固定化状態の差異を比較することができる。
【００１９】
第６の発明は、特に第５の発明の気体測定用装置で、供給気体を不活性気体から還元性気体に可変可能な構成することにより、試験体への揮発性化合物固定化状態の雰囲気への依存性を知ることができる。
【００２０】
第７の発明は、特に第５の発明の気体測定用装置で、供給気体を不活性気体から酸化性気体に可変可能な構成とすることにより、試験体への揮発性化合物固定化状態の雰囲気への依存性を知ることができる。
【００２１】
第８の発明は、特に第５または第７の発明の気体測定用装置で、不活性気体として、ヘリウム、窒素、アルゴンのいずれか１種を用いることで、放散材および試験体を不活性雰囲気に置くことが可能となる。
【００２２】
第９の発明は、特に第５または第６の発明の気体測定用装置で、還元性気体として、水素あるいは一酸化炭素を不活性気体中に所定濃度で混合した気体を用いることで、放散材および試験体を還元性雰囲気に置くことが可能となる。
【００２３】
第１０の発明は、特に第５または第７の発明の気体測定用装置で、酸化性気体として、酸素を不活性気体中に所定濃度で混合した気体を用いることで、放散材および試験体を酸化性雰囲気に置くことが可能となる。
【００２４】
第１１の発明は、特に第１〜第１０の発明の気体測定用装置で、放散材を、昇温または降温のいずれでも制御可能な構成とすることで、放散材からの揮発性化合物の放散量が可変となる。
【００２５】
第１２の発明は、特に第１〜第１１の発明の気体測定用装置で、試験体を、昇温または降温のいずれでも制御可能な構成とすることで、任意温度での試験体への揮発性化合物固定化状態を知ることができる。
【００２６】
以下、本発明の実施の形態について、図面を参照しながら説明する。なお、この実施の形態によって本発明が限定されるものではない。
【００２７】
（実施の形態１）
図１は、本発明の実施の形態１における気体測定用装置の模式的構成図である。
【００２８】
図１において、ガス拡散容器３は支持手段１２に設置され、放散材１と試験体２が、それぞれ第１温度制御手段４と第２温度制御手段５を備えた設置台に配置されている。ガス拡散容器３は、ガス拡散路１３を挟んで、ガス供給手段６および流量制御手段７とガス流入口１０を経て供給される流通ガス上流側と下流側に区別される。前記上流側に放散材１が配置され、前記下流側に試験体２が配置される。ガス拡散容器１の形状は、支持手段１２との接触面が開放型であっても、閉鎖型であってもよい。
【００２９】
流通ガスは、ガス流出口１１ａ，１１ｂからガス拡散容器３の外部に流出する。ガス流出口１１ａでは、ガス捕集手段８によって放散材１から放散される揮発性化合物が捕集される。ガス排出口９は余剰の流通ガスを排出する。
【００３０】
放散材１からの放散物質を捕集するには、放散材１以外から放散される不純物の混入を可能な限り抑制しなければならない。従って、ガス拡散容器１は、表面を清浄にした石英ガラスや不活性化処理したガラスあるいは不活性化処理した金属、さらにはフッ素樹脂などの耐熱性の材料を使用することが好ましい。不活性処理は良好な酸化ケイ素被膜を形成するなど化学物質に対する吸着性が低いものが良い。また、ガス拡散容器１は円筒状など気体の偏流抑制と均一拡散に適した形状が好ましい。
【００３１】
同様に、不純物による汚染抑制の目的で、本装置を構成するガス拡散容器１以外の以下に説明する全ての構成要素やガス流路全体に対して、汚染抑制対策を講じなければならない。ここでも使用に適当であれば、石英もしくはポリテトラフルオロエチレン、あるいは内面を不活性処理したガラスまたはステンレス等の材料で構成することが望ましい。
【００３２】
また、ガス流路の接合部についても、汚染を抑制できる素材もしくは抑制可能な手段を用いて構成しなければならない。また、流量制御手段７がガス拡散容器１の上流側に配置されているので、流量制御手段７の下流側での流量の安定性を確保するために、流路各部での気体の漏れがないようにしなければならない。特に、ガス拡散容器１の形状が、支持手段１２との接触面において開放型である時、完全密閉は困難であることから、接触部から外部方向へのわずかなガス流出が発生する構造にすることも有効である。
【００３３】
ガス供給手段６は、高圧ガスボンベあるいはエアポンプなど圧送式のガス供給源を有し、ガス中の不純物の除去手段も併せ持ち、清浄ガスを供給する。本気体測定用装置のガス流路内の圧力は、大気レベルとなるようにする。図１の構成では、流路の終端であるガス排出口９およびガス流出口１１ｂが開放であるので、圧力は概ね大気レベルに維持できる。
【００３４】
供給気体が空気の場合は、大気或いは室内空気を供給源にしてよい。供給のための駆動部は、エアポンプなどでよい。高圧ガスボンベは、気体の質が安定している点で有効である。不活性雰囲気あるいは還元性雰囲気あるいは酸化性雰囲気を用いる場合は、高圧ガスボンベの使用が適している。
【００３５】
放散材１から放散される物質は、放散材１の表面状態や雰囲気によって影響を受けることがあるので、種々の雰囲気条件における放散の差異を明らかにすることは有用である。同様に、試験体２に対する揮発性化合物の反応性も、試験体２の表面状態や雰囲気によって影響を受けることがあるので、種々の雰囲気条件における放散の差異を明らかにすることは有用である。
【００３６】
従って、ガス供給手段６は、不活性気体あるいは還元性気体あるいは酸化性気体などを任意に混合制御し供給できることが好ましい。図１の構成では、放散材１と試験体２は、同じ雰囲気条件に置かれることになるが、場合によっては、それぞれが独立して異なる雰囲気条件に置くことが可能な構成にしてもよい。その場合、ガス拡散容器３に対するガス供給手段の構成を変更しなければならないが、基本的にはガス拡散路１３から後流側に、新たなガス供給手段を追加する構成をとるようなことになる。
【００３７】
不活性気体は、ヘリウム、窒素、アルゴンのいずれか、還元性気体は、水素あるいは一酸化炭素を不活性気体中に所定濃度で混合した気体、酸化性気体は、酸素を不活性気体中に所定濃度で混合した気体などであれば利便性が高い。
【００３８】
不純物の除去手段は、供給気体中の不純物成分を除去するために配置する。除去方式は、活性炭等の吸着剤を用いた吸着除去方式もしくは同等の手段でよい。その場合、予め気体流量と除去効率を評価し、高い除去率を長時間維持できるだけの吸着剤を使用するなどの工夫が必要である。具体的には、石英管やステンレス管などの筐体内に顆粒状活性炭を適量充填し、粉塵飛散防止のためのフィルターを浄化手段の出入り口に設置したものである。
【００３９】
第１温度制御手段４は、放散材１への熱伝達を効果的に行う目的で、ヒータを内蔵した平板形状のものが適している。ヒータ動作のための電源やコントローラーは、ガス拡散容器３の外部に配置した方が良い。放散材１は、第１温度制御手段４の表面に直接設置するか均熱板を設けて、その上に設置するなど、放散材１の形状や性状を考慮して決めるとよい。
【００４０】
第２温度制御手段５は、試験体２に揮発性化合物が効率よく固定化されるように温度制御を行う目的で使用し、第１温度制御手段４と同様にヒータを内蔵した平板形状のものが適している。ヒータ動作のための電源やコントローラーは、ガス拡散容器３の外部に配置した方が良い。試験体２は、第２温度制御手段５の表面に直接設置するか均熱板を設けて、その上に設置するなど、試験体２の形状や性状を考慮して決めるとよい。
【００４１】
第２温度制御手段５と第１温度制御手段４の間で、その動作目的に異なる点がある。試験体２への揮発性化合物の固定化は、吸着によるものが主体であると考えられることから、その温度制御は、加熱昇温するよりも室温近傍もしくはそれよりも低温で行うことが、より重要となる。従って、第２温度制御手段５には、低温側への冷却のためペルチェ素子などを使用することが必要になる。
【００４２】
流量制御手段７は、調整バルブ付フロート式流量計、あるいはそれと同等のものでよい。流量計によっては、供給気体を汚染することがあるので注意が必要である。ガス流入口１０には、ガス拡散板を設けることが有効である。供給する気体流量は、ガス捕集手段８の捕集流量以上に設定し、ガス排出口９およびガス流出口１１ｂからはガスが常時流出している状態を維持し、流量超過分のベント流路とする。
【００４３】
以上のように構成された気体測定用装置について、以下その動作、作用を説明する。
【００４４】
放散は、放散材１を構成する材料からの揮発性物質の周辺気体中への揮発によっておこるが、それら揮発物質は主に放散材１の最表面および表面近傍から放散される。また、放散材１の形状や表面および内部構造によっては、内部からの放散も十分に考えられる。
【００４５】
放散材１に用いる材料は、家庭用機器等を構成する主要な材料であるプラスチックやゴム、セラミック、ガラス、金属などの素材となる物質あるいはそれらの加工等によって構成された部品等である。また、表面処理された被膜を有するものも実用上、大変有用であるし、液状物質あるいは液状物質含有の材料であってもよい。
【００４６】
これらは、室温程度でも材料内に含まれる揮発性化合物を任意の放散速度で、周辺に放散する。例えば、プラスチックであれば、合成過程で使用した物質や、成型過程等の履歴の中で生成あるいは付着した物質等を放散する。また、物流等の輸送過程の環境中の物質の付着等も受けるので、それらの放散も認められることがある。他の物質も同様である。
【００４７】
放散材１の放散挙動に影響を与える要因としては、温度や湿度などのほか、周辺気体の性状等がある。これらを前提に、試験体２への揮発性物質の固定化について可能な限り、信頼性を高めた測定が必要である。本装置のように試験体２への揮発性物質の固定化や、放散材１からの放散量を測定することを目的とするようなものは、家庭用機器が実際に使用される環境と全く同じ環境を作ることは、困難である。
【００４８】
一方で、実際の使用環境の下で、試験体２に固定化される揮発性物質を定量的に評価するようなことは、汚染性物質の影響や温湿度の変動等、影響因子が複雑に作用するため、困難を極める。そのために、本装置のように清浄空間のもとで、影響因子を明確にした状態での測定が有用となる。
【００４９】
放散材１からの放散物質の種類や量を明確にするため、ガス流入口１０から供給する清浄ガス中に、ガス拡散容器３内部で均一拡散させ、ガス流出口１１から流出させた後、ガス捕集手段８によって適正な捕集剤に捕集する。ガス捕集手段８は、定量吸引が可能な吸引ポンプもしくは同等品でよい。
【００５０】
捕集剤は、揮発性有機化合物に対して市販されているＴＥＮＡＸあるいは活性炭などがある。捕集された放散ガスの分析は、一般的に揮発性有機化合物にはガスクロマトグラフ−質量分析装置（ＧＣＭＳ）を使用する。その具体方法は、ＪＩＳ  Ａ  １９０１などを参照できる。
【００５１】
放散材１からの揮発物質は、ガス拡散容器３内で試験体２の表面層に吸着等によって固定化される。揮発物質の化学的特性などによって、揮発物質の成分ごとに固定化の程度は異なるが、そのことを明確にすることが、本装置の目的の一つとなる。
【００５２】
試験体２として使用する材料は、放散材１と同様に、種々のものが適用できる。固定化される物質の定性や量的情報について、それが必要とされる材料であれば、試験体２として使用してよい。
【００５３】
試験体２に固定化された揮発性化合物の定性定量は、幾つかの方法で実施することができる。基本的なことは、固定化された揮発性化合物を試験体２の表面から分離抽出し、ガスクロマトグラフ−質量分析装置（ＧＣＭＳ）や高速液体クロマトグラフ装置等の分析手段によって成分分析を行うことである。
【００５４】
前記抽出においては、対象とする揮発性化合物によって抽出法を選択する必要があるが、溶媒抽出等の一般的な抽出濃縮操作を行うか、もしくは可能であれば、熱抽出機能を有するＧＣＭＳを用いて、試験体２の小片を用いて、揮発性化合物を脱着させＧＣＭＳに直接導入させるなどの方法がある。
【００５５】
次に、試験体２による揮発性化合物の固定化に影響を与える要因として雰囲気ガスが考えられる。従って、試験体２を清浄空気以外に不活性雰囲気や還元性雰囲気あるいは酸化性雰囲気の下で取扱うことも必要である。一方、放散材１は、それぞれの雰囲気中で、特有の放散挙動を示すことが考えられる。
【００５６】
各雰囲気のガス種については、記述の通りである。供給ガスは通常は空気でよいが、これに限定しない。空気の場合は、大気あるいは室内空気を利用できる。
【００５７】
本装置の気体流路内部を不活性雰囲気にするには、ヘリウム、窒素、アルゴンのような不活性気体を高圧ガス容器から供給すればよい。放散材１の化学的変化を抑制したい時には、特に有効である。また、特定物質と放散材１との相互作用による放散物質への影響を評価したい場合に、不活性気体中に特定物質を拡散供給することもできる。
【００５８】
本装置の気体流路内部を還元性雰囲気にするには、水素や一酸化炭素の使用が可能であり、これに限定しない。使用時の安全性の点を考慮すると、水素は不活性気体で適正濃度に希釈して供給する方が良い。また、一酸化炭素の場合も同様に、不活性気体で適正濃度に希釈して供給する方が良い。ただし、一酸化炭素は空気で希釈して使用してもよい。
【００５９】
本装置の気体流路内部を酸化性雰囲気にするには、酸素を利用するが、この場合も不活性気体で適正濃度に希釈して供給することになる。空気でも良いが、酸素濃度依存性を知るには前者のような濃度調整した気体がよい。
【００６０】
放散材１の温度は、放散挙動に影響を与える要因である。放散は、放散材１の表面近傍あるいは内部からの化学物質の揮発であるから、温度への依存性は強い。温度上昇とともに、放散材１を構成する物質の熱運動が激しくなるので、放散量は増加する。従って、放散量が大きい領域での測定が必要な場合は、放散材１の使用上限温度以下かつ、熱的変化が生じない程度の温度以下で揮発性化合物を放散させることになる。
【００６１】
放散は放散材１の表面近傍あるいは内部からの化学物質の揮発であるから、温度への依存性は強い。温度上昇とともに、放散材１を構成する物質の熱運動が激しくなるので、放散量は増加する。従って、放散量が大きい領域での測定が必要な場合は、放散材１の使用上限温度以下かつ、熱的変化が生じない程度の温度以下で揮発性化合物を放散させることになる。
【００６２】
第１温度制御手段４によって放散材１を任意温度に保持制御する場合、まず室温において雰囲気を安定させた後、温度変化させることが望ましい。温度変化に際しては、本装置の全ての部位において、不純物となる外部からの気体の混入が発生しない様にしなければならない。従って、ガス排出口９からは、特にガス捕集手段８からのガス捕集量も考慮して、供給ガスが常時流出している状態を保たねばならない。
【００６３】
試験体２の温度は、試験体２表面における揮発性化合物の固定化の挙動に影響を与える要因である。固定化は、物理的吸着あるいは化学的結合の生成によるものが主たる現象であるとされる。特に物理的吸着の場合は、吸着面である試験対の表面温度の高低によって吸着量の変化が生じるため、表面温度の安定化に注意が必要である。
【００６４】
また、物理的吸着が無視できる程度の温度領域を選択することが出来れば、化学的結合による固定化の定性的あるいは定量的把握が可能となる。
【００６５】
固定化において物理的吸着か、あるいは化学的結合の生成によるものかのいずれであるかを明確にすることは、揮発性化合物が放散された後、気体中に拡散した同物質が、家庭用機器の構成部品へ再吸着するなどにより、構成部品表面に固定化された時の影響が考慮し対応を図るうえで重要なことである。
【００６６】
何故ならば、物理的吸着による固定化と化学的結合の生成による固定化では、表面と揮発性化合物との結合力が異なり、固定化された揮発性化合物の低減化を図るような場合、その低減化手段が異なるからである。
【００６７】
第２温度制御手段５によって試験体２を任意温度に保持制御する場合、記述したように放散材１に対する温度制御と同様の動作、ならびに本装置の取扱をすることが望ましい。
【００６８】
放散材１の表面近傍における雰囲気ガスの移動速度が、放散挙動に影響を与える。放散材１の表面と表面近傍での放散物質の濃度差が、放散量に関係することによる。本装置は、流通系であり、供給気体流量は、調整バルブ付フロート式流量計を使用した流量制御手段７によってガス拡散容器３の内部が所定の換気回数になるように調整する。これによって、放散材１表面での雰囲気ガスの流速を可変制御して、放散量の流速依存性を知ることができる。
【００６９】
流通系では、放散物質の雰囲気中における分圧の過剰な上昇や飽和を防ぐことができる。分圧が高い状態は、放散材１からの放散速度の抑制を生じるため、放散量を知るには不適切であるといえる。これを回避するには、供給ガスの流通によって放散材１からの放散物質を外部へ移動させる必要がある。これに対して流通系が有効に機能する。
【００７０】
試験体２の表面近傍における雰囲気ガスの移動速度は、固定化の挙動に影響を与える。これに対しても、上記の放散材１に対すると同様の考え方をとることになる。
【００７１】
使用に適した材料は、既述したように石英もしくはポリテトラフルオロエチレン、あるいは内面を不活性処理したガラスまたはステンレス等の材料である。いずれにしても、不純物の混入は、好ましくないので予め本装置がもつ不純物量を評価しておくことが好ましい。この場合、放散材１が無い状態で、本装置自身の流路内からの放散物質を評価し、この状態を本装置のブランクとして扱うことになる。
【００７２】
以上説明したような種々の条件下で、放散挙動や固定化挙動の時間変化を追跡することも有効である。
以上のように、本実施の形態においては、放散材１からの揮発性化合物を、ガス流入口１０から供給する清浄ガス中に、ガス拡散容器３内部で均一拡散させ、ガス拡散路１３から流出させた後、試験体２の表面に固定化させ、固定化された化合物種を定性定量することができる。これによって、試験体２となる種々の材料に対する揮発性化合物の固定化の定性的あるいは定量的な相関関係が明らかになる。
【産業上の利用可能性】
【００７３】
本発明にかかる気体測定用装置は、家庭用機器の構成材料あるいはその同等材料を試験体とすることにより、その表面に固定化される揮発性化合物の特定と量的評価が可能となり、家庭用機器への機能影響の抑制や環境保全分野等での有効な技術開発に役立てることができる。
【符号の説明】
【００７４】
１  放散材
２  試験体
３  ガス拡散容器
４  第１温度制御手段
５  第２温度制御手段
６  ガス供給手段
７  流量制御手段
８  ガス捕集手段
９  ガス排出口
１０  ガス流入口
１１ａ，１１ｂ  ガス流出口
１２  支持手段
１３  ガス拡散路
【図１】
2011089904.tif 000003
【図２】
2011089904.tif 000004